(57)【特許請求の範囲】
【請求項１】
軸筒（１）の内部に、インクタンク（２）と、このインクタンク（２）から出入りするインクを一時的に保持するインク保留部（３）と、これらインクタンク（２）とインク保留部（３）とを区画する隔壁（４）と、この隔壁（４）の中央部を貫通してインクタンク（２）から先端筆記部（６）へインクを供給する中芯（５）とを備えた直液式筆記具において、
上記隔壁（４）に、その周方向へ亘って同幅寸法の空間である貫通孔（４ｂ，４ｂ′，４ｂ″）と、中芯（５）の外周面（５ａ）に対し周方向へ亘って面接触する支持部（４ｃ，４ｃ′）と、
インクタンク（２）内に残留したインクを誘導するインク誘導路（７）とを設け、
上記インク誘導路（７）は、上記隔壁（４）のインクタンク（２）側の表面に、上記貫通孔（４ｂ，４ｂ′，４ｂ″）へ通じる凹溝を形成してなることを特徴とする直液式筆記具。
【請求項２】
上記隔壁（４）の中央部に、中芯（５）の外周面（５ａ）に沿ってその周方向へ同幅寸法の空間である上記貫通孔（４ｂ）と、中芯（５）の外周面（５ａ）に面接触する上記支持部（４ｃ）とを周方向へ交互に複数個ずつ配置し、
上記凹溝は、インクタンク（２）の内周面（２ａ）と連続する上記隔壁（４）の外縁から上記貫通孔（４ｂ）へ通じるように形成されていることを特徴とする請求項１記載の直液式筆記具。
【請求項３】
上記隔壁（４）の中心孔（４ａ）の内周面全体が中芯（５）の外周面（５ａ）と面接触する上記支持部（４ｃ′）であり、該隔壁（４）の外縁に沿ってその周方向へ同幅の空間である上記貫通孔（４ｂ′）を設け、
上記凹溝は、上記隔壁（４）の中心孔（４ａ）から上記貫通孔（４ｂ′）へ通じるように形成されていることを特徴とする請求項１記載の直液式筆記具。
【請求項４】
上記隔壁（４）の中心孔（４ａ）の内周面全体が中芯（５）の外周面（５ａ）と面接触する上記支持部（４ｃ′）であり、該隔壁（４）の径方向中途位置に周方向へ同幅の空間である上記貫通孔（４ｂ″）を設け、
上記凹溝は、上記隔壁（４）の中心孔（４ａ）から上記貫通孔（４ｂ″）へ通じる部分と、上記隔壁（４）の外縁から同貫通孔（４ｂ″）へ通じる部分とからなることを特徴とする請求項１記載の直液式筆記具。
【発明の詳細な説明】
【技術分野】
【０００１】
本発明は、インクをインクタンクに直接充填する直液式筆記具に関する。
詳しくは、軸筒の内部に、インクタンクと、このインクタンクから出入りするインクを一時的に保持するインク保留部と、これらインクタンクとインク保留部とを区画する隔壁と、この隔壁の中央部を貫通してインクタンクから先端筆記部へインクを供給する中芯とを備えた直液式筆記具に関する。
【背景技術】
【０００２】
従来、この種の直液式筆記具として、隔壁の中央部に開穿される貫通孔の形状を正四角形や正六角形や正八角形とし、これら貫通孔の各辺と、断面円形の中芯（インク供給体）とを２箇所以上当接させた状態で中芯を挿通させることにより、温度上昇などでインクタンク（インク貯留室）の内圧が上昇した時には、インクがインク保留部（リザーバ室）へ流出して外部へのインク漏出が防止されると共に、インクの減少でインクタンクの内圧が低下した時には、空気がインクタンク内に取り込まれてインク吐出量の減少が回避されるなど、安定した気液流通作用（気液交換作用）が得られるようにしたものがある（例えば、特許文献１参照）。
その他には、多角形の貫通孔の各コーナ部分に、中芯の外周との間の距離を狭くするように近接部を形成したり、また楕円形状の貫通孔に断面円形の中芯を挿通して、その対向する２箇所で当接させることにより、中芯の位置決めを行ったり、これとは逆に円形の貫通孔に断面多角形や断面楕円形の中芯を挿通したり、円形の貫通孔に、中芯の外周に所定間隔おいて当接するようリブを形成して、貫通孔と中芯との隙間を一定とすることも記載されている。
【０００３】
しかし乍ら、このような従来の直液式筆記具によれば、隔壁に開穿される貫通孔と中芯とが点接触で位置決めされるため、二点支持では中芯の位置ズレが発生し易く、点接触箇所を三点以上にすると、その分だけ支持構造が複雑化してコスト高になると共に、これら点接触部分へ向けて隙間の幅寸法が徐々に狭くなるから、この尖った狭い隙間部分には、表面張力でインクが付着したり、気泡が付着して詰まり易いだけでなく、中芯を構成する繊維束から剥がれ落ちた繊維や、製造時に混入した糸くずや埃などの微細なゴミも付着して詰まり易く、その結果として、安定した気液流通作用を得られないという問題があった。
【特許文献１】国際公開第２００４／０００５７５号公報（第４−５頁、図２−３）
【発明の開示】
【発明が解決しようとする課題】
【０００４】
本発明は、上記従来事情に鑑みてなされたもので、その課題とするところは、寸法誤差や組み付け精度に誤差が生じても安定した気液流通作用が得られる直液式筆記具を提供することにある。
【課題を解決するための手段】
【０００５】
上記課題を解決するための手段は、軸筒（１）の内部に、インクタンク（２）と、このインクタンク（２）から出入りするインクを一時的に保持するインク保留部（３）と、これらインクタンク（２）とインク保留部（３）とを区画する隔壁（４）と、この隔壁（４）の中央部を貫通してインクタンク（２）から先端筆記部（６）へインクを供給する中芯（５）とを備えた直液式筆記具において、上記隔壁（４）に、その周方向へ亘って同幅寸法の空間である貫通孔（４ｂ，４ｂ′，４ｂ″）と、中芯（５）の外周面（５ａ）に対し周方向へ亘って面接触する支持部（４ｃ，４ｃ′）と、インクタンク（２）内に残留したインクを誘導するインク誘導路（７）とを設け、上記インク誘導路（７）は、上記隔壁（４）のインクタンク（２）側の表面に、上記貫通孔（４ｂ，４ｂ′，４ｂ″）へ通じる凹溝を形成してなることを特徴とする。
【発明の効果】
【０００６】
本発明は、上記構成により下記の作用効果を奏する。
第一の発明によれば、隔壁に、その周方向へ亘って同幅寸法の空間である貫通孔と、中芯の外周面に対し周方向へ亘って面接触する支持部を設けることにより、支持部で中芯が径方向へ移動不能に位置決めされると共に、貫通孔には、インキや気泡が付着したり微細なゴミなどが詰まり易い狭い隙間部分がない。
従って、寸法誤差や組み付け精度に誤差が生じても安定した気液流通作用を得ることができる。
よって、隔壁に開穿される貫通孔と中芯とが点接触で位置決めされる従来技術と比べ、隙間の幅寸法が周方向へ徐々に狭くならないため、インキや気泡や微細なゴミなどが付着して詰まることがなく、安定した気液流通作用を得ることができる。
しかも、隔壁に、インクタンク内に残留したインクを中芯へ誘導するインク誘導路を形成することにより、インクタンク内のインクの減少に伴い、残留したインクが表面張力で分散した粒状となっても、それらが該インク誘導路に沿って中芯へ導かれる。
従って、インクの最後一滴まで筆記に供することができる。
よって、インクの無駄がなく経済的である。
【発明を実施するための最良の形態】
【０００９】
本発明の直液式筆記具Ａは、図１〜図６に示す如く、円筒状に形成された軸筒１の内部に、液体状のインクが貯留されるインクタンク２と、このインクタンク２内の温度変化や圧力変化に伴って出入りするインクを一時的に保持するインク保留部３と、これらインクタンク２とインク保留部３とを区画する隔壁４と、この隔壁４の中央部を軸方向へ貫通してインクタンク２とインク保留部３とに亘り挿通する中芯５とを備え、この中芯５の前端を、軸筒１の前端に設けられた先端筆記部６に接続している。
【００１０】
前記インク保留部３の好ましい一例としては、例えば特開平９−３２３４９６号公報などに開示されるような後述する中芯５が挿通される芯装填孔部３ａと、この芯装填孔部３ａの外側に軸方向へ適宜間隔毎に多数連設された円板状の櫛歯３ｂと、これら櫛歯３ｂの間に形成されたインク貯溜溝３ｃと、前記櫛歯３ｂに軸方向へ穿設されたインク誘導スリット３ｄと、このインク誘導スリット３ｄとは別個に櫛歯３ｂの先端に軸方向へ穿設された空気通路３ｅとからなる。
また、その他の例として、これと同様の機能を有していれば図示例以外の構造とすることも可能である。
【００１１】
前記隔壁４は、軸筒１の軸方向と直交する方向へ形成されて、軸筒１の内部後方にインクタンク２を、前方にインク保留部３を夫々区画形成しており、その中央部には、後述する中芯５を貫通させるための中心孔４ａが開穿され、それ以外には、インクタンク２及びインク保留部３に亘ってインク又は空気を出入りさせるための貫通孔４ｂが開穿される。
【００１２】
この貫通孔４ｂによってインクタンク２とインク保留部３を通じる隙間は、毛細管力によりインクを保持してインク膜（シール）が形成された状態になっており、インクタンク２内の圧力上昇又は圧力減少に伴って、該貫通孔４ｂのインク膜が破れ、インクがインク保留部３へ流出したり、空気がインク保留部３内に流入するなどの気液流通作用が得られるようになっている。
【００１３】
前記中芯５は、軸方向へ平行な多数の繊維を収束して圧縮した多孔質の棒状体など、その毛細管力によりインクタンク２からインクを先端筆記部６へ供給するものである。
その好ましい一例としては、この中芯５を上記隔壁４の中心孔４ａに貫通させた状態で、その断面円形に形成された外周面５ａに対し、該中心孔４ａ又は後述する支持部４ｃの内壁面を面接触させることにより、径方向へ移動不能に支持すると共に、該中芯５の後端部５ｂをインクタンク２内へ適宜長さ突出させ、前端部５ｃを先端筆記部６に接続させている。
【００１４】
前記先端筆記部６の好ましい一例としては、例えば特開平９−３２３４９６号公報などに開示されるような前記中芯５の前端部５ｃと接合するインク導入管６ａと、その前端に回転自在に把持されたボール６ｂとからなり、このインク導入管６ａの内径を小さくして、それに作用する毛細管力を中芯５の毛細管力よりも強くすることで、中芯５からのインクがインク導入管６ａを経てボール６ｂに供給されるようにしている。
また、その他の例として、これと同様の機能を有していれば図示例以外の構造とすることも可能である。
【００１５】
そして、前記隔壁４には、その周方向へ亘って同幅寸法の貫通孔４ｂと、中芯５の外周面５ａに対し周方向へ亘って面接触する支持部４ｃとを設ける。
更に、中芯５の外周面５ａよりも大径で該外周面５ａ沿いにその周方向へ同幅寸法の貫通孔４ｂと、中芯５の外周面５ａへ向け部分的に突出して該外周面５ａと面接触する支持部４ｃとを、周方向へ交互に複数個ずつ配置し、これら支持部４ｃで中芯５を径方向へ位置ズレ不能に支持することが好ましい。
【００１６】
また、上記隔壁４及びインクタンク２のどちらか一方又は両方には、インクタンク２内に残留したインクを中芯５へ誘導するためのインク誘導路７を形成することが好ましい。  以下、本発明の各実施例を図面に基づいて説明する。
【実施例１】
【００１７】
この実施例１は、図１及び図２に示す如く、上記中心孔４ａの周縁に、中芯５の外周面５ａに沿ってその周方向へ同幅の貫通孔４ｂと、中芯５の外周面５ａへ向け突出して面接触する支持部４ｃとを、周方向へ交互に二つずつ配置することで、この中芯５を二点支持すると共に、上記隔壁４のみにインク誘導路７が形成された場合を示すものである。
【００１８】
前記インク誘導路７は、図示例の場合、隔壁４のインクタンク２側の表面のみに、上記インクタンク２の内周面２ａと連続する該隔壁４の外縁から貫通孔４ｂへ通じる凹溝７ａを二本、夫々径方向へ略一直線上に凹設することにより、中芯５から離れたインクタンク２の内周面２ａと隔壁４と隅部分に、表面張力で分断したインク粒が残留しても、該凹溝７ａ沿いに貫通孔４ｂまで導くようにしている。
【００１９】
このインク誘導路７の他の例として、図示せぬが、２本の凹溝７ａを略一直線以外の形状となるように配置したり、凹溝７ａを一本のみ又は三本以上設けたり、これら凹溝７ａに代えるか又はそれに加えて図２に二点鎖線で示す如く、隔壁４の外縁から中芯５の外周面５ａ又は貫通孔４ｂへ通じるリブなどの突起７ｂを一つ又は複数設けることも可能である。
更に図示せぬが、インク保留部３に保持されたインクをインクタンク２又は中芯５の外周面５ａへ戻すため、隔壁４のインク保留部３側の裏面にインク誘導路７の凹溝又は突起を形成することも可能である。
【００２０】
次に、斯かる直液式筆記具Ａの作用効果について説明する。
先ず、図２に示す如く、中芯５の外周面５ａに支持部４ｃを面接触させたため、該支持部４ｃによる二点支持でも中芯５が径方向へ移動不能に位置決めされて、この中芯５の外周面５ａと貫通孔４ｂとの隙間が一定に保たれる。
【００２１】
これと共に、中芯５の外周面５ａに沿って周方向へ同幅寸法の貫通孔４ｂには、表面張力でインキや気泡が付着したり、中芯５を構成する繊維束から剥がれ落ちた繊維や、製造時に混入した糸くずや埃などの微細なゴミなどが詰まり易い狭い隙間部分がない。
その結果、隔壁４の中心孔４ａ及び貫通孔４ｂや中芯５の寸法誤差又は組み付け精度に誤差が多少生じても、これら貫通孔４ｂと中芯５の外周面５ａとの間には安定した隙間寸法が得られる。
【００２２】
更に、上記隔壁４及びインクタンク２のどちらか一方又は両方に、インクタンク２内に残留したインクを中芯５へ誘導するインク誘導路７を形成した場合には、筆記によるインクタンク２内のインクの減少に伴って、残留したインクが表面張力により粒状となって分散しても、それらを該インク誘導路７に沿って中芯５へ導くようにしている。
その結果、インクタンク２内に残留したインクの最後一滴まで筆記に使用することができるという利点がある。
【実施例２】
【００２３】
この実施例２は、図３に示す如く、前記中芯５の外周面５ａに沿って周方向へ同幅の貫通孔４ｂと、中芯５の外周面５ａに面接触する支持部４ｃとを、周方向へ交互に二つずつ配置して中芯５を二点支持するものの、隔壁４にインク誘導路７を設けなかった点が、前記図１及び図２に示した実施例１とは異なり、それ以外の構成は実施例１と同じものである。
【００２４】
その結果、図３に示す実施例２も、上述した実施例１と同様に、寸法誤差や組み付け精度に誤差が生じても安定した隙間寸法が得られるという利点はある。
【実施例３】
【００２５】
この実施例３は、図４に示す如く、前記隔壁４及びインクタンク２の内周面２ａに沿ってインク誘導路７を形成した構成が、前記図１及び図２に示した実施例１とは異なり、それ以外の構成は実施例１と同じものである。
【００２６】
図示例では、隔壁４及びインクタンク２の内周面２ａに沿って貫通孔４ｂへ通じる凹溝７ｃを径方向に一組のみ凹設している。
その他の例として図示せぬが、この凹溝７ｃを周方向へ適宜間隔毎に複数本設けたり、該凹溝７ｃｇに代えるか又はそれに加えて図４に二点鎖線で示す如く、インクタンク２の内周面２ａから貫通孔４ｂ又は中芯５の外周面５ａへ向けてリブなどの突起７ｄを一つ又は複数設けたり、隔壁４のインク保留部３の裏面にインク誘導路７の凹溝又は突起を形成することも可能である。
【００２７】
その結果、図４に示す実施例３も、上述した実施例１と同様に、寸法誤差や組み付け精度に誤差が生じても安定した隙間寸法が得られると共に、更にインクタンク２の内周面２ａに残留したインク粒も中芯５へ導くことができてインクの最後一滴まで筆記に使用できるという利点がある。
【実施例４】
【００２８】
この実施例４は、図５に示す如く、前記隔壁４の中心孔４ａの内周面全体が中芯５の外周面５ａと面接触する支持部４ｃ′であり、該隔壁４の外縁に沿ってその周方向へ同幅の貫通孔４ｂ′を周方向へ適宜間隔毎に複数開穿すると共に、上記隔壁４のみにインク誘導路７を形成した構成が、前記図１及び図２に示した実施例１とは異なり、それ以外の構成は実施例１と同じものである。
【００２９】
図示例では、隔壁４のインクタンク２側の表面のみにインク誘導路７を、隔壁４の外縁の貫通孔４ｂ′から中心孔４ａへ通じる凹溝７ｅを二本、夫々径方向へ略一直線上に凹設している。
その他の例として図示せぬが、２本の凹溝７ｅを略一直線以外の形状となるように一本のみ又は三本以上設けたり、この凹溝７ｅに代えるか又はそれに加えて図５に二点鎖線で示す如く、隔壁４の外縁又は貫通孔４ｂ′から中芯５の外周面５ａへ向けてリブなどの突起７ｆを一つ又は複数設けたり、隔壁４のインク保留部３側裏面やインクタンク２の内周面２ａにインク誘導路７の凹溝又は突起を形成することも可能である。
【００３０】
その結果、図５に示す実施例４も、上述した実施例１と同様に、寸法誤差や組み付け精度に誤差が生じても安定した隙間寸法が得られると共に、インクの最後一滴まで筆記に使用できるという利点がある。
【実施例５】
【００３１】
この実施例５は、図６に示す如く、前記隔壁４の中心孔４ａの内周面全体が中芯５の外周面５ａと面接触する支持部４ｃ′であり、該隔壁４の径方向中途位置に周方向へ同幅の貫通孔４ｂ″を周方向へ適宜間隔毎に複数開穿すると共に、上記隔壁４のみにインク誘導路７を形成した構成が、前記図１及び図２に示した実施例１とは異なり、それ以外の構成は実施例１と同じものである。
【００３２】
図示例では、隔壁４のインクタンク２側の表面のみにインク誘導路７を、隔壁４の外縁から貫通孔４ｂ″を介して中心孔４ａへ通じる凹溝７ｇを二本、夫々径方向へ略一直線上に凹設している。
その他の例として図示せぬが、２本の凹溝７ｇを略一直線以外の形状となるように一本のみ又は三本以上設けたり、この凹溝７ｇに代えるか又はそれに加えて図６に二点鎖線で示す如く、隔壁４の外縁から中芯５の外周面５ａ又は貫通孔４ｂ″へ向けてリブなどの突起７ｈを一つ又は複数設けたり、隔壁４のインク保留部３側裏面やインクタンク２の内周面２ａにインク誘導路７の凹溝又は突起を形成することも可能である。
【００３３】
その結果、図６に示す実施例５も、上述した実施例１と同様に、寸法誤差や組み付け精度に誤差が生じても安定した隙間寸法が得られると共に、インクの最後一滴まで筆記に使用できるという利点がある。
【００３４】
尚、図示例では、軸筒１の内部に、中芯５が貫通し貫通孔４ｂ，４ｂ′，４ｂ″が開穿された隔壁４を一枚だけ設けて一つのインクタンク２からインクを中芯５で供給したが、これに限定されず、中芯５が貫通し貫通孔４ｂ，４ｂ′，４ｂ″が開穿された隔壁４を軸方向へ複数配設して、それらの間にインクタンク２を軸方向へ複数個夫々分割して形成するようにしても良い。
【図面の簡単な説明】
【００３５】
【図１】本発明の直液式筆記具の実施例１を示す縦断正面図である。
【図２】図１の（２）−（２）線に沿える拡大横断平面図である。
【図３】本発明の直液式筆記具の実施例２を示す拡大横断平面図である。
【図４】本発明の直液式筆記具の実施例３を示す縦断正面図である。
【図５】本発明の直液式筆記具の実施例４を示す拡大横断平面図である。
【図６】本発明の直液式筆記具の実施例５を示す拡大横断平面図である。
【符号の説明】
【００３６】
１  軸筒                              ２  インクタンク
３  インク保留部                      ４  隔壁
４ｂ，４ｂ′，４ｂ″  貫通孔          ４ｃ  支持部
５  中芯                              ６  先端筆記部
７  インク誘導路
【図１】
0004847147.tif 000002
【図２】
0004847147.tif 000003
【図３】
0004847147.tif 000004
【図４】
0004847147.tif 000005
【図５】
0004847147.tif 000006
【図６】
0004847147.tif 000007